(57)【特許請求の範囲】
【請求項１】
装用者の視覚行動に応じて、前記装用者のフレーム（１０）を備えることを目的とした眼科用累進レンズ用の少なくとも１つの光学設計パラメータの決定方法であって、
ａ）  視作業の最中の前記装用者の複数の視線方向及び／又は視線の位置に関する複数の行動測定点の値を収集するステップ；
ｂ）  前記複数の行動測定点の値を統計的に処理して、前記フレームに取り付けられる単眼鏡の領域の使用ゾーン（ＺＵ）を決定するステップであって、前記使用ゾーン（ＺＵ）は、前記複数の行動測定点の統計的な空間分布を表すステップ； 
ｃ）  前記使用ゾーン（ＺＵ）の空間的範囲及び／又は位置に応じて、前記眼科用累進レンズ用の少なくとも１つの光学設計パラメータを決定するステップであって、前記少なくとも１つの光学設計パラメータは累進長の制限範囲［Ｌｐｍｉｎ；Ｌｐｍａｘ］及び累進長（Ｌｐ）の値の少なくとも一つを有するステップ；
ｂ１）  前記使用ゾーン（ＺＵ）のセントロイド（ＢＵ）の位置を計算するステップ；
ｂ２）  前記セントロイド（ＢＵ）の垂直方向位置と、前記装用者の遠方視の主視線方向（Ｄ０）に対する視線の平均落とし角度に対応する垂直方向基準位置（１７）との間の差Δの符号を決定するステップ；および
ｃ２）  前記差Δの符号に応じて、前記累進長の制限範囲［Ｌｐｍｉｎ；Ｌｐｍａｘ］又は前記累進長（Ｌｐ）の値を決定するステップ；
を含む、光学設計パラメータの決定方法。
【請求項２】
前記少なくとも１つの光学設計パラメータが、近方視ゾーン（１２）の高さ、前記近方視ゾーン（１２）の幅、及び前記眼科用累進レンズの内部オフセット（Ｅ）の中からの、前記眼科用累進レンズの設計の少なくとも１つの光学設計パラメータを更に含む、請求項１に記載の眼科用累進レンズ用の少なくとも１つの光学設計パラメータの決定方法。
【請求項３】
前記少なくとも１つの光学設計パラメータが、前記眼科用累進レンズのための、遠方視ゾーン（１１）と前記近方視ゾーン（１２）との間の、経線に沿った屈折力の累進プロファイルを含む、請求項１又は２に記載の眼科用累進レンズ用の少なくとも１つの光学設計パラメータの決定方法。
【請求項４】
ａ３）  前記フレーム（１０）における前記眼科用累進レンズに対するフィッティング高さ（ＦＨ、Ｈｄ）の測定値を取得するステップ；
ｂ３）  前記セントロイド（ＢＵ）の前記垂直方向位置と、前記装用者の前記遠方視の主視線方向（Ｄ０）に対する前記視線の平均落とし角度に対応する垂直方向基準位置（１７）との間の差Δの値を計算するステップ；及び
ｃ３）  フィッティング高さ（ＦＨ、Ｈｄ）の前記測定値及び前記差Δの前記値に応じて、累進長（Ｌｐ）の値を決定するステップ
をさらに含む、請求項１〜３の何れか一項に記載の眼科用累進レンズ用の少なくとも１つの光学設計パラメータの決定方法。
【請求項５】
ステップｃ３）において累進長（Ｌｐ）の値が決定され、前記値は、量εだけ減少される前記フィッティング高さ（ＦＨ、Ｈｄ）に等しく、ここで、εは、前記差Δ、前記フィッティング高さ（ＦＨ、Ｈｄ）、前記装用者の眼の屈折力（Ｒｘ）の測定値、及び／又は前記使用ゾーン（ＺＵ）の関数である、請求項４に記載の眼科用累進レンズ用の少なくとも１つの光学設計パラメータの決定方法。
【請求項６】
ａ４）  前記フレーム（１０）における前記眼科用累進レンズに対するフィッティング高さ（ＦＨ、Ｈｄ）の測定値を取得するステップ；
ｂ４）  前記セントロイド（ＢＵ）の前記垂直方向位置と、前記装用者の前記遠方視の主視線方向（Ｄ０）に対する前記視線の平均落とし角度に対応する垂直方向基準位置（１７）との間の差Δの値を計算するステップ；
ｂ５）  前記使用ゾーン（ＺＵ）の分散（Δβ、ＸＵ、ＹＵ）を表す少なくとも１つの値を計算するステップ；及び
ｃ５）  フィッティング高さ（ＦＨ、Ｈｄ）の前記測定値、前記差Δの前記値、及び／又は前記使用ゾーン（ＺＵ）の分散（Δβ、ＸＵ、ＹＵ）を表す前記少なくとも１つの値に応じて、累進長（Ｌｐ）の値を決定するステップ
をさらに含む、請求項１に記載の眼科用累進レンズ用の少なくとも１つの光学設計パラメータの決定方法。
【請求項７】
ステップｃ５）において、累進長（Ｌｐ）の値が決定され、前記値は、補正関数εだけ減少される前記フィッティング高さ（ＦＨ、Ｈｄ）に等しく、ここで、εは、前記差Δ、前記フィッティング高さ（ＦＨ、Ｈｄ）、及び前記使用ゾーン（ＺＵ）の前記分散の関数である、請求項６に記載の眼科用累進レンズ用の少なくとも１つの光学設計パラメータの決定方法。
【請求項８】
ｂ６）  前記使用ゾーン（ＺＵ）の限界（ＨＵ、ＬＵ、ＮＵ、ＴＵ）の位置を計算するステップ；及び
ｃ６）  前記使用ゾーン（ＺＵ）の前記限界（ＨＵ、ＬＵ、ＮＵ、ＴＵ）の前記位置に応じて、前記遠方視ゾーン（１１）と前記近方視ゾーン（１２）との間の、経線に沿った前記屈折力の累進プロファイルを決定するステップ
をさらに含む、請求項３に記載の眼科用累進レンズ用の少なくとも１つの光学設計パラメータの決定方法。
【請求項９】
ｂ７）  前記使用ゾーン（ＺＵ）の限界（ＮＵ、ＴＵ）の位置を計算するステップ；及び
ｃ７）  前記使用ゾーン（ＺＵ）の前記限界（ＮＵ、ＴＵ）の前記位置に応じて、前記内部オフセット（Ｅ）の値を決定するステップ
をさらに含む、請求項２〜８のいずれか１項に記載の眼科用累進レンズ用の少なくとも１つの光学設計パラメータの決定方法。
【請求項１０】
ｂ８）  前記使用ゾーン（ＺＵ）の前記セントロイド（ＢＵ）の位置及び前記使用ゾーン（ＺＵ）の垂直方向の広がり（ＹＵ）を計算するステップ；及び
ｃ８）  前記使用ゾーン（ＺＵ）の前記セントロイド（ＢＵ）の前記位置及び前記使用ゾーン（ＺＵ）の前記垂直方向の広がり（ＹＵ）に応じて、前記近方視ゾーン（１２）の高さを決定するステップ
をさらに含む、請求項２に記載の眼科用累進レンズ用の少なくとも１つの光学設計パラメータの決定方法。
【請求項１１】
ｂ９）  前記使用ゾーン（ＺＵ）の水平方向の広がり（ＸＵ）を計算するステップ；及び
ｃ９）  前記使用ゾーン（ＺＵ）の前記水平方向の広がり（ＸＵ）に応じて、前記近方視ゾーン（１２）の幅を決定するステップ
をさらに含む、請求項２又は１０に記載の眼科用累進レンズ用の少なくとも１つの光学設計パラメータの決定方法。
【請求項１２】
前記光学設計パラメータが、前記眼科用累進レンズの処方の球面補償値（Ｒｘ）及び／又は前記遠方視ゾーン（１１）と前記近方視ゾーン（１２）との間の屈折力加入度の値に応じて調整される、請求項１〜１１のいずれか１項に記載の眼科用累進レンズ用の少なくとも１つの光学設計パラメータの決定方法。
【請求項１３】
前記光学設計パラメータが、前記装用者の頭の傾斜角度の測定値に応じて調整される、請求項１〜１２のいずれか１項に記載の眼科用累進レンズ用の少なくとも１つの光学設計パラメータの決定方法。
【請求項１４】
ｄ）  使用領域（ＺＵ）に関する複数の平均値が提供され、前記平均値は、複数の基準装用者に関連付けられており；
ｅ）  前記複数の基準装用者に関連付けられた前記複数の平均値は、前記複数の平均値の統計的分布を決定するために統計的に処理され；
ｆ）  前記使用領域（ＺＵ）に関する平均値は、前記視作業の最中の装用者に対して決定され；及び
ｇ）  少なくとも１つの光学設計パラメータは、前記装用者に関する前記使用領域に関する前記平均値、及び前記複数の基準装用者に関連付けられた平均値の前記統計的分布に依存して、前記装用者用の眼科用累進レンズに関して決定される、請求項１〜１３のいずれか１項に記載の眼科用累進レンズ用の少なくとも１つの光学設計パラメータの決定方法。
【発明の詳細な説明】
【技術分野】
【０００１】
本発明は、視力矯正用眼鏡用の眼科用累進レンズ（ｐｒｏｇｒｅｓｓｉｖｅ  ｏｐｈｔｈａｌｍｉｃ  ｌｅｎｓ）の少なくとも１つの光学設計パラメータ（ｏｐｔｉｃａｌ  ｃｏｎｃｅｐｔｉｏｎ  ｐａｒａｍｅｔｅｒ）の決定方法に関する。
【０００２】
特に、眼科用累進レンズの累進長（ｐｒｏｇｒｅｓｓｉｏｎ  ｌｅｎｇｔｈ）、内部オフセット（ｉｎｔｅｒｎａｌ  ｏｆｆｓｅｔ）、累進プロファイル及び／又は視力ゾーンの範囲に関する個人パラメータの決定方法に関する。
【０００３】
さらに、装用者のニーズと、特定の装用者によって選択された特有のフレームとに好適な眼科用レンズの選択方法に関する。
【背景技術】
【０００４】
図１は、フレーム１０の中間平面（ｍｅａｎ  ｐｌａｎｅ）内に投影して眼科用累進レンズ８を概略的に示す。表現「累進レンズ」（又は「累進単眼鏡（ｐｒｏｇｒｅｓｓｉｖｅ  ｅｙｅｇｌａｓｓ）」）は、視力矯正用眼鏡のために円柱面及び／又は球面累進屈折力加入度数のある眼科用レンズを意味することを理解されたい。累進レンズは、その上部には、装用者の視力矯正のニーズに応じた、屈折力が装用者の遠方視に好適である遠方視ゾーン１１を、及びその下部には、屈折力がこの装用者の近方視に好適である近方視ゾーン１２を含む。
【０００５】
公知であるように、遠方視（又はＦＶ）ゾーン１１と近方視（又はＮＶ）ゾーン１２の間には、中間距離視（又はＩＶ、図示せず）に好適である視力ゾーンがある。
【０００６】
基準点ＩＶＬは、例えば遠方視ゾーン１１の境界を定める円の中心に、製造者によって定義された遠方視点である。同様に、基準点ＩＶＰは、例えば近方視ゾーン１２の境界を定める円の中心に、製造者によって定義された近方視点である。
【０００７】
規格ＩＳＯ  １３６６６：２０１２では、累進レンズのフィッティングに使用されるいくつかのパラメータが定義されている。それゆえ、フィッティングポイントＣＭは、単眼鏡又は半製品単眼鏡の前面に配置された点であり、製造者が、眼の前側に単眼鏡を位置決めするための基準点であるとみなす点である。フィッティングポイントＣＭは、概して、消すことのできるマークによって印が付けられ、フィッティング後に除去される。フィッティング高さＦＨは、玉形加工済レンズの外縁の底点、すなわちフレームのリムの内側の輪郭の最下点を通過する水平方向の接線からフィッティングポイントＣＭを隔てる垂直距離である。基準高さ（Ｈｄ：ｄａｔｕｍ  ｈｅｉｇｈｔ）は、フィッティングポイントＣＭと、フィッティングポイントＣＭの下側の垂直方向真下に配置されたフレーム１０上の点との間の垂直距離である。基準高さＨｄは、玉形加工済レンズの形状（フレームがフルリム型フレームであるとき、フレーム１０の対応するリムの内側の輪郭の形状に対応する）に応じて、フィッティング高さＦＨよりも短いか又はそれに等しい。
【０００８】
累進長（ＬＰ又は累進帯の長さ（ｌｅｎｇｔｈ  ｏｆ  ｃｏｒｒｉｄｏｒ）に対するＬＯＣ）はまた、フィッティングクロス（ｆｉｔｔｉｎｇ  ｃｒｏｓｓ）と点ＩＶＰの位置との間の垂直距離であると定義される。
【０００９】
さらに、レンズの内部オフセット（又はインセット（ｉｎｓｅｔ）Ｅ）は、遠方視基準点ＩＶＬと近方視基準点ＩＶＰとの間の水平方向のオフセットであると定義される。
【００１０】
レンズの屈折力は、好ましくは、前記遠方視基準点ＩＶＬと前記近方視基準点ＩＶＰとの間で、これら２つの点を通過する主累進経線（ｐｒｉｎｃｉｐａｌ  ｐｒｏｇｒｅｓｓｉｏｎ  ｍｅｒｉｄｉａｎ  ｌｉｎｅ）と呼ばれる（ギザギザの又は湾曲した）線に沿って連続的に変化する。この主累進経線は、全体的に垂直方向においてＦＶ、ＩＶ及びＮＶの３つのゾーンを通過する。
【００１１】
累進レンズの設計は、特に、点ＩＶＬ及びＩＶＰの位置、遠方視ゾーン１１の位置及び範囲、近方視ゾーン１２の位置及び範囲、内部オフセットＥの値、及び主累進経線に沿った屈折力加入度数（ｏｐｔｉｃａｌ  ｐｏｗｅｒ  ａｄｄｉｔｉｏｎ）の累進プロファイルを決定することを目的とする。
【００１２】
フレームの選択は、例えば累進長ＬＰの決定にいくつかの制約を加える。
【００１３】
概して、眼鏡屋は、光学的な眼鏡−フィッティング測定の最中に、例えば商標Ｖｉｓｉｏｆｆｉｃｅで販売されているタイプの機器で取得される、累進長の値並びにＦＶゾーン及びＮＶゾーンの位置の値を決定する。
【００１４】
通例、累進長の選択は、装用者の姿勢や装用者から与えられた装用者の前の道具に対するフィードバックなどの主観的基準に基づいて、眼鏡屋によって行われる。
【００１５】
レンズの累進長の決定方法はまた、特許文献１からも知られており、この方法では、装用者の単一の遠方視点及び装用者の単一の近方視点は眼科用レンズ上に決定され、及び対応する累進長は、それらから推定される。それゆえ、装用者に好適な眼科用レンズを選択し得る。
【００１６】
しかしながら、フレームのリムの形状に応じて、ひとたび眼科用レンズが装用者によって選択されたフレームに縁取りされ且つ取り付けられたら、この方法を適用することによって、装用者により使用される近方視のゾーンの全てが眼科用レンズに含まれるかは確実ではない。
【先行技術文献】
【特許文献】
【００１７】
【特許文献１】米国特許第８２９７７５２号明細書
【発明の概要】
【発明が解決しようとする課題】
【００１８】
眼科用累進レンズを装着した装用者の視覚的快適性を改善するために、視作業（ｖｉｓｕａｌ  ｔａｓｋ）に対する装用者の自然な姿勢での及び装用者によって選択されたフレームでの装用者の視覚行動（ｖｉｓｕａｌ  ｂｅｈａｖｉｏｒ）に応じて、眼科用累進レンズの少なくとも１つの光学設計パラメータを調整することが望ましい。
【課題を解決するための手段】
【００１９】
本書では、表現「眼科用累進レンズの光学設計パラメータ」は、以下を決定することを可能にする１つ以上のパラメータを意味すると理解される：
−  眼科用レンズの光学設計、すなわちレンズ全体にわたる球面及び／又は円柱面屈折力の空間分布。光学設計は、特に、近方視ゾーン及び遠方視ゾーンの空間的な限界決定（ｓｐａｔｉａｌ  ｄｅｌｉｍｉｔａｔｉｏｎ）を網羅する；及び／又は
−  自然な視線（ｇａｚｅ）方向に影響を及ぼす傾向を有する単眼鏡のプリズムによる光のフレの空間分布。
【００２０】
そこで、眼科用累進レンズの１つ又は複数の光学設計パラメータを使用して、製造者によって提案された範囲のレンズから眼科用累進レンズを選択するか、又は装用者に好適な眼科用累進レンズを製造するためにレンズの片面又は両面の、機械加工されるべき面を決定する。
【００２１】
上述の従来技術の欠点を改善するために、本発明は、装用者の視覚行動に応じて、装用者のフレームに装着することを対象とした眼科用累進レンズ用の少なくとも１つの光学設計パラメータの決定方法を提案する。
【００２２】
より詳細には、本発明によれば、以下のステップを含む方法が提案される：
ａ）  視作業の最中の装用者の複数の視線方向及び／又は視線の位置に関する複数の行動測定点の値を収集するステップ；
ｂ）  前記フレームに取り付けられる単眼鏡の領域の使用ゾーンを決定するために前記複数の行動測定点の値を統計的に処理するステップであって、前記使用ゾーン（ＺＵ）は、前記複数の行動測定点の統計的な空間分布を表すステップ；及び
ｃ）  使用ゾーンの空間的範囲及び／又は位置に応じて、前記眼科用累進レンズ用の少なくとも１つの光学設計パラメータを決定するステップ。
【００２３】
下記は、本発明による方法の他の非限定的且つ好都合な特徴である：
−  前記少なくとも１つの光学設計パラメータは、累進長の制限範囲［Ｌｐｍｉｎ；Ｌｐｍａｘ］、累進長、近方視ゾーンの高さ、近方視ゾーンの幅、及び前記眼科用累進レンズの内部オフセットのうちからの、前記眼科用累進レンズの設計の少なくとも１つの光学設計パラメータを含む；
−  前記少なくとも１つの光学設計パラメータは、前記眼科用累進レンズのための、遠方視ゾーンと近方視ゾーンとの間の、経線に沿った屈折力の累進プロファイルを含む。
【００２４】
眼科用累進レンズ用の少なくとも１つの光学設計パラメータの決定方法は、
ｂ１）  使用ゾーンのセントロイドの位置を計算するステップ；及び
ｃ１）  使用ゾーンのセントロイドの位置に応じて、累進長の制限範囲又は累進長の値を決定するステップ
をさらに含むことが好都合である。
【００２５】
特定の一実施形態では、方法は、
ｂ２）  セントロイドの垂直方向位置と、装用者の遠方視の主視線方向に対する視線の平均落とし角度（ｍｅａｎ  ｄｒｏｐ  ａｎｇｌｅ）に対応する垂直方向基準位置との間の差Δの符号を決定するステップ；及び
ｃ２）  差Δの符号に応じて、累進長の制限範囲又は累進長の値を決定するステップ
をさらに含む。
【００２６】
別の特定の実施形態では、方法は、
ａ３）  前記フレームにおける前記眼科用累進レンズ用のフィッティング高さの測定値を取得するステップ；
ｂ３）  セントロイド（ＢＵ）の垂直方向位置と、装用者の遠方視の主視線方向に対する視線の平均落とし角度に対応する垂直方向基準位置との間の差Δの値を計算するステップ；及び
ｃ３）  フィッティング高さの前記測定値及び差Δの前記値に応じて、累進長の値を決定するステップ
をさらに含む。
【００２７】
この実施形態の一変形例によれば、ステップｃ３）において累進長の値が決定され、前記値は、補正関数εだけ減少されるフィッティング高さに等しく、ここで、εは、差Δ、フィッティング高さ、装用者の眼の屈折力（ｒｅｆｒａｃｔｉｏｎ）の測定値、及び／又は使用ゾーンの関数である。
【００２８】
別の特定の実施形態では、方法は、
ａ４）  前記フレームにおける前記眼科用累進レンズ用のフィッティング高さの測定値を取得するステップ；
ｂ４）  セントロイド（ＢＵ）の垂直方向位置と、装用者の遠方視の主視線方向に対する視線の平均落とし角度に対応する垂直方向基準位置との間の差Δの値を計算するステップ；及び
ｂ５）  使用ゾーンの分散（ｄｉｓｐｅｒｓｉｏｎ）を表す少なくとも１つの値を計算するステップ；及び
ｃ５）  フィッティング高さの前記測定値、差の前記値、及び／又は使用ゾーンの分散を表す前記少なくとも１つの値に応じて、累進長の値を決定するステップ
をさらに含む。
【００２９】
ステップｃ５）において累進長の値が決定され、前記値は、補正関数εだけ減少されたフィッティング高さに等しく、ここで、εは、差Δ、フィッティング高さ、及び使用ゾーンの分散の関数であることが好都合である。
【００３０】
別の特定の実施形態では、方法は、
ｂ６）  使用ゾーンの限界の位置を計算するステップ；及び
ｃ６）  使用ゾーンの前記限界の位置に応じて、遠方視ゾーンと近方視ゾーンとの間の、経線に沿った屈折力の累進プロファイルを決定するステップ
をさらに含む。
【００３１】
別の特定の実施形態では、方法は、
ｂ７）  使用ゾーンの限界の位置を計算するステップ；及び
ｃ７）  使用ゾーンの前記限界の位置に応じて、内部オフセット値を決定するステップ
をさらに含む。
【００３２】
別の特定の実施形態では、方法は、
ｂ８）  使用ゾーンのセントロイドの位置及び使用ゾーンの垂直方向の広がりを計算するステップ；及び
ｃ８）  使用ゾーンのセントロイドの位置及び使用ゾーンの垂直方向の広がりに応じて、近方視ゾーンの高さを決定するステップ
をさらに含む。
【００３３】
別の特定の実施形態では、方法は、
ｂ９）  使用ゾーンの水平方向の広がりを計算するステップ；及び
ｃ９）  使用ゾーンの水平方向の広がりに応じて、近方視ゾーンの幅を決定するステップ
をさらに含む。
【００３４】
特に、及び好都合にも、光学設計パラメータは、眼科用累進レンズの処方の球面補償値及び／又は遠方視ゾーンと近方視ゾーンとの間の屈折力加入度数の値に応じて、及び／又は装用者の頭の傾斜角度の測定値に応じて、調整される。
【００３５】
別の特定の実施形態では、方法は、
ｄ）  使用領域に関する複数の平均値が提供されるステップであって、前記平均値は、複数の基準装用者に関連付けられている、ステップ；
ｅ）  前記複数の基準装用者に関連付けられた前記複数の平均値が、前記複数の平均値の統計的分布を決定するために統計的に処理されるステップ；
ｆ）  使用領域に関する平均値が、前記視作業の最中の装用者に関して決定されるステップ；及び
ｇ）  少なくとも１つの光学設計パラメータが、前記装用者の使用領域に関する前記平均値、及び前記複数の基準装用者に関連付けられた平均値の前記統計的分布に応じて、前記装用者用の眼科用累進レンズに対して決定されるステップ
をさらに含む。
【００３６】
本発明はまた、
−  上述の実施形態の１つによる決定方法を実施することによって、少なくとも１つの光学設計パラメータを決定するステップ；及び
−  決定された光学設計パラメータに応じて、標準セットのレンズから、眼科用累進レンズを選択するステップ
を含む、装用者を対象とした眼科用累進レンズの選択方法に関する。
【００３７】
本発明はまた、
−  眼科用レンズの少なくとも１つの現用の面を選択するステップ；
−  上述の実施形態の１つによる決定方法を実施することによって、少なくとも１つの光学的目標設計パラメータを決定するステップ；及び
−  装用条件下で、決定された光学目標を使用して前記眼科用レンズの現用の面を最適化することによって、前記眼科用累進レンズを決定するステップ
を含む、装用者を対象とした眼科用累進レンズの決定方法に関する。
【００３８】
最後に、本発明は、
−  初期段階のレンズを提供するステップ；
−  上述の眼科用累進レンズの決定方法を実施することによって、眼科用累進レンズを決定するステップ；及び
−  前記眼科用累進レンズを生産するために、初期段階のレンズを機械加工するステップ
を含む、眼科用累進レンズの製造方法に関する。
【００３９】
本発明はまた、装用者用に個人向けにされた眼科用累進レンズに関し、前記眼科用累進レンズは、上述の実施形態の１つによる決定方法を実施することによって、使用ゾーンに応じて決定された少なくとも１つの光学設計パラメータを有する。
【００４０】
非限定的な例として与えられる添付の図面を参照する以下の説明は、本発明の本質及びどのようにそれを達成し得るかを簡単に理解できるようにする。
【図面の簡単な説明】
【００４１】
【図１】前面から見た累進レンズ、及び使用された様々なパラメータを示す。
【図２】いくつかの近方視の視作業の最中の装用者の眼の行動測定値を取得するためのシステムの例の側面図を示す。
【図３】フレームの平面における投影領域の形態を取る使用ゾーンＺＵを図形で示す。
【図４Ａ−４Ｂ】二人の異なる装用者に関する行動測定点をフレームの中間平面に投影して、及びこれらの行動測定点にそれぞれ関連付けられた統計的分布を示す。
【図５】前面から見た累進レンズ、及びフレームと累進単眼鏡設計との第１の比較態様を示す。
【図６】累進レンズの累進長を決定するための第１の実施形態の第１の変形例を示す。
【図７】累進レンズの累進長を決定するための第１の実施形態の第２の変形例を示す。
【図８】累進レンズの累進長を決定するための第１の実施形態の第３の変形例を示す。
【図９】累進レンズの累進長を決定するための第１の実施形態の第４の変形例を示す。
【図１０】累進レンズの累進長を決定するための第１の実施形態の第５の変形例を示す。
【図１１】累進レンズの累進長を決定するための第２の実施形態を示す。
【図１２】累進レンズの累進長を決定するための第３の実施形態を示す。
【図１３】累進レンズの累進長を決定するための第４の実施形態を示す。
【図１４】累進レンズのＮＶの使用ゾーンの範囲を決定するための一実施形態を示す。
【図１５】ＦＶゾーンとＮＶゾーンとの間の屈折力の累進プロファイルの決定の例を示す。
【図１６】基準集団で実施された測定点に応じて、累進レンズの累進長を決定するための別の実施形態を示す。
【発明を実施するための形態】
【００４２】
装置
図２は、いくつかの近方視での視作業の最中の装用者の眼の行動測定点の値を取得するためのシステムの側面図を示す。
【００４３】
図２は、装用者の矢状面に投影して表す。図２の平面は、好ましくは垂直平面である。
【００４４】
好ましくは、装用者は、内部にレンズを取り付けずに、装用者が選択したフレーム１０を装着している。
【００４５】
好ましくはその選択したものよりも寸法の大きい、選択したもの以外のフレームを配置して、装用者の視線（ｇａｚｅ）がフレームの縁によって制約されないようにすることを想定することが可能である。
【００４６】
屈折力のない提案のレンズを備える、又は屈折補正用レンズ、例えば装用者が現在使用しているものと同様のレンズ、単焦点補正レンズ又は累進補正レンズを備える、選択したフレームを配置することを想定することも可能である。
【００４７】
フレーム１０は、好ましくは、位置決定システム４０を備えていて、この位置決定システムは、位置決定システムを装着した装用者の頭をとらえた画像から、空間における装用者の頭の位置を決定できるようにすることを目的としている。この位置決定システムは、文献ＦＲ２９１４１７３号明細書、７頁５行目から１０ページ８行目において詳細に説明されている。それゆえ、ここでは詳細に説明しない。
【００４８】
位置決定システム４０は、この位置決定システムが出現する装用者の頭をとらえた画像から、この画像取込装置に関連付けられた基準系において、空間における装用者の頭の位置を決定できるようにする、よく知られた幾何学的特性を有する。
【００４９】
視作業を行うために、装用者は、媒体２０（図２）が提示され、この媒体は、例えば装用者の両手間に保持し、且つ装用者が装用者の頭に対して望むように配置し得る。
【００５０】
この媒体２０は、好ましくは、デジタル表示部分を含む平面媒体である。例えば、タッチタブレット（ｔｏｕｃｈ  ｔａｂｌｅｔ）である。
【００５１】
この媒体２０は、一般的に、装用者に割り当てられた作業中に、装用者が注視して追う必要がある目標Ｃ１、Ｃ２を含む。
【００５２】
視作業は、例えば追従視（ｐｕｒｓｕｉｔ）作業であり、この作業中、装用者は目標Ｃ１、Ｃ２の動きを眼で追う。
【００５３】
装用者が、割り当てられた視作業を行っている最中に、装用者の視線方向を決定できるようにするために、媒体２０は、少なくとも１つの画像取込装置２１を含む。これは、好ましくは、視作業の最中の装用者の映像を取得するためのビデオカメラである。
【００５４】
視作業の最中に装用者が眼で追う目標Ｃ１、Ｃ２の位置は、媒体２０に関して、あらゆる時点において分かっている。それゆえ、前記位置は、画像取込装置２１に関連付けられた基準系において分かる。
【００５５】
それゆえ、この配置構成によって、画像取り込みの瞬間に装用者が見つめている目標Ｃ１、Ｃ２の位置は、画像取込装置に関連付けられた基準のフレーム内において分かる。
【００５６】
画像取込機器２１は、様々な視線方向Ｄ１、Ｄ２に対応する目標Ｃ１、Ｃ２の様々な位置に対する装用者の頭の画像の取り込みを可能にする。
【００５７】
画像取得は、映像の録画を介して実行され得ることが好都合である。
【００５８】
装用者の頭をとらえた画像は、情報処理装置に伝達され、この情報処理装置は、媒体に組み込まれていても、又は遠く離れていてもよい。
【００５９】
取り込み画像は、リアルタイムで、又は全ての画像が取り込まれた後で、処理され得る。
【００６０】
それゆえ、情報処理装置は、各画像取り込みの最中の装用者の視線方向Ｄ１、Ｄ２を、眼の回転中心ＣＲＯと、画像取り込みの最中のその対応する位置における目標Ｃ１、Ｃ２とをつなぐ直線であると推定する。
【００６１】
その場合には、情報処理装置は、装用者の視線方向Ｄ１、Ｄ２と前記フレーム１０に関連付けられた面ＰＭとの交点Ｉ１、Ｉ２、Ｉ３、Ｉ４の位置を決定可能にする。面ＰＭは、フレームのリムの中間平面であることが好都合である。
【００６２】
もっと正確に言えば、情報処理装置は、この中間平面ＰＭの正規直交座標系（Ｘ，Ｙ）における、視線方向Ｄ１、Ｄ２とフレーム１０のリムの中間平面ＰＭとの各交点Ｉ１、Ｉ２の座標（ｘ，ｙ）を決定する。
【００６３】
図２は、近方視の視線方向の１組の測定点を取得し且つ視線方向Ｄ１、Ｄ２とフレーム１０のリムの中間平面ＰＭとの交点Ｉ１、Ｉ２の位置を計算するのに好適な例示的な装置を示す。
【００６４】
あるいは、図２の装置は、装用者の遠方視の主視線方向Ｄ０と、目標Ｃ１、Ｃ２それぞれの様々な位置に対する複数の近方視の視線方向Ｄ１及びＤ２との間の、装用者の視線の落とし角度（Ａ１、Ａ２）の１組の測定値を取得するために、使用し得る。視線の落とし角度の測定値は、装用者の矢状面（図２の平面）において取られる。矢状面は、好ましくは、測定の最中、垂直である。
【００６５】
図２の装置以外の装置を使用して、本発明との関連で使用された行動に関する測定点の値を取得し得る。
【００６６】
測定装置は、１回の測定に対応する、各視線方向において装用者が費やした時間を記録することが好都合である。
【００６７】
同一の測定装置又は複数の光学的な眼鏡−フィッティング又は眼検査装置を使用して、装用者の頭部の姿勢及び／又は装用者の体の姿勢に関する補足的な測定点の値を収集してもよく、姿勢は、装用者の近方視の視線の方向、位置及び／又はその視線の落とし角度の複数の測定値の各測定値と関連付けられている。
【００６８】
方法
ステップａ）
視線方向の複数の測定点、視線方向とある平面又は決められた面との交点Ｉ１、Ｉ２の複数の位置、及び／又は装用者の視線の落とし角度（Ａ１、Ａ２）の複数の測定値を含む、装用者に関する１組の行動測定値が取得される。
【００６９】
第１の例では、装用者は、視作業、例えば図２に関して示すような、装用者の眼の行動測定値を取得するためのシステムに対面するという、決められた視姿勢（ｖｉｓｉｏｎ  ｐｏｓｔｕｒｅ）で、例えば視覚的な追従視又は読書を行う状況に置かれる。
【００７０】
別の例では、装用者に関する行動測定値は、コンピュータ化された記録から生じ得る。
【００７１】
下記で説明する例では、前記複数の行動測定値は近方視に関する。
【００７２】
複数の行動測定値の測定値の数は、統計的に有意なサンプルを形成するのに十分であることが好都合である。好ましくは、この測定値の数は、１又は数十又は数百以上である。
【００７３】
上述の通り、行動測定値の組は、任意の公知の測定システムによって取得され得る。それゆえ、図２に示す測定システムは一例であるが、別の測定システムは、いくつかの視作業の最中の装用者の眼でのデータを取得できるようにする一時的な又は永久的な眼球トラッキング（ｅｙｅ−ｔｒａｃｋｉｎｇ）装置の使用に基づくとし得る。交点の位置の測定値を取得する方法は、非限定的である。
【００７４】
補足的に、行動測定値に加えて、装用者に関連付けられた眼の補正の処方データ、選択したフレームに関連付けられたフレーミングデータ、及び／又は球面屈折力加入度数プロファイルに関するデータが取得される。
【００７５】
好ましくは、装用者に関する行動測定値、選択したフレームに関連付けられたデータ、及び装用者の処方に関するデータが取得される。
【００７６】
開始データの組は、例えば、
１  −  近方視の視線方向の複数の測定値、近方視の視線方向とある平面又はある面との交点Ｉ１、Ｉ２の複数の位置、及び／又は装用者の近方視の視線の落とし角度（Ａ１、Ａ２）の複数の測定値を含む、１組の行動測定値；
２  −  フィッティング高さ（ＦＨ）；
３  −  フレームの形状に関するデータ（基準フィッティング高さＨｄの抽出）；
４  −  装用者の眼の補正の処方；及び
５  −  採用された球面屈折力加入度数プロファイルの設計
を含む。
【００７７】
その後、この開始の組は、使用ゾーンを決定するために処理するステップｂ）、及び眼科用累進レンズのために少なくとも１つの光学設計パラメータを決定するステップｃ）の最中に活用される。
【００７８】
ステップｂ）統計処理
次に、行動測定値の組を処理して、例えば近方視における、前記複数の測定点の統計的分布を表す使用ゾーン（ＺＵ）を決定する。
【００７９】
本書では、単眼鏡の使用ゾーンＺＵ又は移動ゾーンは、通常の使用又は所与の距離に関して、特定の視作業の最中に装用者の視線が通過する単眼鏡上の１組の点の統計的分布を表す空間のゾーンであると定義される。使用ゾーンＺＵは、単眼鏡上又は別の投影面上の点（Ｉ１、Ｉ２）の統計的分布によって空間的にか、又は視線方向（Ｄ１、Ｄ２）の統計的分布によってベクトル的にかのいずれかで、同等に定義され得る。あるいは、及びより単純に、使用ゾーンＺＵはまた、装用者の矢状面における視線の落とし角度（Ａ１、Ａ２）の統計的分布によって、表形式で定義され得る。
【００８０】
１つの特定の事例では、使用ゾーンＺＵは、近方視に限定され得る。
【００８１】
好ましくは、使用ゾーンＺＵは、フレームの平面（ＰＭ）内における投影領域（図３）によって、図形で表わされる。別の実施形態では、単眼鏡に関連付けられたもの以外の投影面を取ることが可能である。例として、任意の仮想平面又は目標平面２０などの、単眼鏡上の交点Ｉ１、Ｉ２以外の投影面を使用することが可能である。
【００８２】
もっと正確に言えば、フレームの平面ＰＭ又は別の投影面との視線方向の交点（Ｉ１、Ｉ２、Ｉ３、Ｉ４）の複数の位置を含む行動測定点の座標（ｘ，ｙ）の全てが、収集される。
【００８３】
ステップｂ）では、複数の行動測定点の座標（ｘ，ｙ）の全ては統計的に処理されて、測定点の統計的な意味での分布を決定する。処理ステップは、予め実施されて、例えば異常点を抑制する及び／又は被測定点の９５％のみを考慮するようにすることが好都合である。統計的分布は、例えば被測定点の組の平均位置（ｘ及び／又はｙにおける）、被測定点の組のセントロイドＢＵの位置（ｘ及び／又はｙにおける）、水平方向の標準偏差、垂直方向の標準偏差、及び／又は行動測定値の統計的分布の他のパラメータを含む。一実施形態では、セントロイドの計算は、被測定点の組の平均位置の計算に対応し、各被測定点は、１に等しい重み係数によって重みをつけられている。それゆえ、セントロイドは、視線方向の平均的視線方向を表す。別の実施形態では、セントロイドの計算は、各測定点に関連付けられた重み係数を考慮する；例えば、各測定点に関連付けられた重み係数は、各測定点において装用者が費やした時間に関する係数とし得る。もっと正確に言えば、単位面積当たり費やされた時間を重み係数として使用し、広がりの点で使用ゾーンＺＵに重みをつけ得る。例えば、費やされた時間の例えば８０％に対応する使用ゾーンの有効面積が、重みをつけられる。それゆえ、使用領域はかなり小さく、及び均一な重みつけの使用ゾーンと比較して、使用ゾーンＺＵを特徴とする所与の式において同じ影響を与えず、セントロイドの位置及び／又は使用ゾーンの範囲は、重み係数による影響を受ける。
【００８４】
この統計的分布から、使用ゾーンＺＵは、例えば、測定されたＮＶ点の組のセントロイドＢＵの位置、例えば円形、楕円形又は任意の他の形状であるこの領域の形状、空間一次元又は空間二次元ＸＵ及び／又はＹＵでの空間的範囲（水平方向及び／又は垂直方向の標準偏差に依存する）により、及び／又は上限、下限、鼻側限界及び／又は側頭限界ＨＵ、ＬＵ、ＮＵ、ＴＵにより定義される領域によって、決定され、表わされる。使用ゾーンの広がりは、行動測定の最中に眼の動きによって網羅される領域を表す。使用ゾーンの広がりは、高さＹＵ及び幅ＸＵ、及び任意選択的に向きによって規定される。使用ゾーンにおける側頭の分配又は分布は、使用ゾーンの単位面積当たりで装用者が費やした時間を表す。概して、この側頭の分配又は分布は、ガウス分布であり、及び使用ゾーンＺＵのセントロイドＢＵが中心である。しかしながら、いくつかの特定の事例では、使用ゾーンにおいて２つの極大値を有する二峰性の側頭の分配又は分布が観察される。
【００８５】
それゆえ、ステップｂ）は、交点に対する使用ゾーンの空間的範囲（形状及びサイズ）：交点を全て囲む任意の形状の領域、又は二次元における標準偏差を有する領域を、決定可能にする。
【００８６】
非限定的な例として、使用ゾーンは、測定された交点の予め決められた百分率、交点の好ましくは９５％を含む楕円によって表わされる。
【００８７】
使用ゾーンは、測定点の統計的な表示であるため、この使用ゾーンは、必ずしも、測定値を全て含まなくてもよい。
【００８８】
統計処理は、異常測定点の除去を可能にし得る。
【００８９】
例示的な一実施形態では、行動測定値の統計処理は、以下のことを決定することを可能にする：
−  使用ゾーン（ＺＵ）のセントロイド（ＢＵ）の位置（Ｘ，Ｙ）；
−  使用ゾーンの垂直方向の広がり（ＹＵ）及び水平方向の広がり（ＸＵ）（測定点の９５％）；及び／又は
−  使用ゾーンにおいて、単位面積当たり費やされた時間の分配又は分布。
【００９０】
別の例示的な実施形態では、装用者の視線方向Ｄ１、Ｄ２の複数の測定値を使用し、且つ視線方向のこの複数の測定値を統計的に処理して、視線方向の複数の測定点のベクトルの統計的分布を決定する。
【００９１】
それゆえ、視線方向の複数の測定点の値の統計処理は、
−  装用者の平均的な視線方向；
−  装用者のセントロイド視線方向；
−  装用者の視線方向の垂直方向の標準偏差；及び／又は
−  装用者の視線方向の水平方向の標準偏差など
によって規定される統計的分布の決定を可能にする。
【００９２】
視線方向の複数の測定点のこの統計的分布から、例えば、
−  装用者の平均的な視線方向；
−  装用者の平均的な視線方向の標準偏差；
−  装用者の高い視線方向；
−  装用者の低い視線方向；
−  装用者の最大収束視線方向；及び／又は
−  装用者の最大発散視線方向；及び
−  使用ゾーンにおいて単位立体角当たり費やされた時間
によって規定される、二次元又は三次元の使用ゾーンが決定される。
【００９３】
一変形例では、フレームの平面（ＰＭ）上又は別の平面上への、装用者の視線方向Ｄ１、Ｄ２の複数の測定点の投影が決定され、これは、上述の複数の測定点の処理ということになる。
【００９４】
あるいは、及びより単純に、複数の行動測定値には、装用者の矢状面における視線の落とし角度（Ａ１、Ａ２）の複数の測定値を含む。この場合は、統計処理によって、視線の落とし角度の複数の測定値の統計的分布を決定できるようにする。その後、使用ゾーンＺＵは、例えば視線の落とし角度の平均値、視線の落とし角度のセントロイド、視線の落とし角度の標準偏差、及び視線の落とし角度の低値及び／又は高値を含む表で表わされ得る。それゆえ、この単純な実施形態では、使用ゾーンを図形としてトレースする必要はない。
【００９５】
図４Ａ及び図４Ｂは、第１の装用者と第２の装用者との間の、それぞれの近方視姿勢における、フレームの中間平面での視線方向との交点（Ｉ１、Ｉ２、Ｉ３、Ｉ４）の行動測定点の例をそれぞれ示す。
【００９６】
図４Ａ及び図４Ｂのフレームの中間平面に投影して示された様々な眼科用レンズの同一の又は対応する要素は、同じ参照符号で示されることに留意されたい。
【００９７】
所与のＦＶ及びＮＶ補償に関し、装用者ごとに大きな行動のばらつきが観察される。
【００９８】
概して、ＦＶからＮＶまで通過する視線の平均落とし角度は、１５〜２１度に含まれ、好ましくは２０度である。この視線の平均落とし角度は、装用者にとって快適な平均落とし角度に、すなわち装用者の視線の安静位に対応する。しかしながら、装用者によっては、この２０度の基準値とは異なる視線の平均落とし角度が観察される。最後に、一部の装用者では、測定値に、他の装用者よりも遥かに大きい空間分散が観察される。これは、所与の視覚的な追従視作業の最中、各装用者は、眼の動きに、比較的大きな頭の動きを伴うということによって説明され得る。しかしながら、本発明の方法において、位置、方向又は視線落としの各測定に関連付けられた頭部の動きを測定することは必要ではない。
【００９９】
それゆえ、図４Ａでは、近方視点ＩＶＰの周りでの交点Ｉ１、Ｉ２、Ｉ３、Ｉ４の空間分布が極めて狭いことが分かり得る。対照的に、図４Ｂでは、近方視点ＩＶＰの周りでの交点Ｉ１、Ｉ２、Ｉ３、Ｉ４の空間分布がより広がっていることが分かり得る。
【０１００】
図４Ａ及び図４Ｂのそれぞれにおいて、各装用者それぞれに関する交点（Ｉ１、Ｉ２、Ｉ３、Ｉ４）の測定点の値の統計処理に対応する使用ゾーンＺＵをそれぞれ示した。それゆえ、使用ゾーンは、被測定点の統計的分布を表す。
【０１０１】
ステップｃ）
本発明人らは、ここで、どのように測定値の統計的分布を使用して、装用者のための累進レンズの少なくとも１つの光学設計パラメータを決定するかについて説明する。
【０１０２】
もっと正確に言えば、少なくとも１つの光学設計パラメータを、累進長の値、内部オフセット（インセットＥ）の値、作業距離又は快適な位置（又はさらには読書用の距離ＲＤ）の値、及び／又は個人設計の計算用の入力データの中から決定することが求められる。
【０１０３】
図４Ａ及び図４Ｂでは、それぞれ、ＬＰ１及びＬＰ２は、眼科用レンズの累進長をそれぞれ意味する。図４Ａの事例では、図４Ｂの累進長ＬＰ２よりも長い累進長ＬＰ１を選択することが好ましい。理想的には、使用ゾーンＺＵは、フレームと交差することなく、フレームの下縁のところまで延在して、近方視の視野を部分的に妨害しないようにする。
【０１０４】
方法−ステップｃ）：累進長の決定の第１の実施形態
好ましくは２０度に等しい快適な平均的な視線を落とした方向に対応する基準線１８が、装用者の遠方視の主視線方向（Ｄ０）に対して、規定される。
【０１０５】
差Δは、基準線１８と、装用者の視覚行動を表す値との間で計算され、且つこれは、
−  使用ゾーンＺＵのセントロイドＢＵの位置；及び／又は
−  使用ゾーンＺＵの高い位置ＨＵ及び／又は低い位置ＬＵ
に応じて計算される。
【０１０６】
一実施形態では、Δは、セントロイド（ＢＵ）の垂直方向位置と、装用者の遠方視の主視線方向（Ｄ０）に対する視線の平均落とし角度に対応する垂直方向基準位置（１７）との間の差であると定義される。
【０１０７】
ステップｂ）における統計処理の結果は、本質的に快適さの概念に本質的に関連する行動指標を与え、これは、設計レベルの段階で、累進長を調整することによって解釈され得る。
【０１０８】
Δの符号に依存する制限範囲の累進長Ｌｐ（又は累進の長さのＬＯＣ）が薦められる。
【０１０９】
例えば、Δが負である場合、どちらかといえば短い累進長値の制限範囲、好ましくは１４〜１６ｍｍが薦められる。
【０１１０】
Δが正である場合、どちらかといえば長い累進長値の制限範囲、好ましくは１６〜１８ｍｍが薦められる。
【０１１１】
方法：ステップｃ）の累進長の決定の第２の実施形態（図５〜１０）
第２の実施形態では、差Δはまた、基準線１８と、装用者の視覚行動を表す値との間で計算され、差Δは、
−  使用ゾーンＺＵのセントロイドＢＵの位置；及び／又は
−  使用ゾーンＺＵの高い位置ＨＵ及び／又は低い位置ＬＵ
に応じて計算される。
【０１１２】
一実施形態では、Δは、セントロイド（ＢＵ）の垂直方向位置と、装用者の遠方視の主視線方向（Ｄ０）に対する視線の平均落とし角度に対応する垂直方向基準位置（１７）との間の差であると定義される。
【０１１３】
次いで、Δに対する累進長値は、以下のタイプの式に従って、累進長（ＬＯＣ）の値を小さくすることによって、単眼鏡におけるＮＶゾーンのシェアを増すために調整される：
ＬＯＣ＝ＦＨ−ε
式中、εは補正関数又はパラメータを表し、これは、ＬＯＣの値に影響を及ぼす傾向のある１つ以上の要素から計算され、これらの要素は、おそらくは、以下の異なる性質のものである：
−  フレーム及び／又は使用者によるフレームの装用位置、例えばフィッティング高さＦＨ、基準高さ（Ｈｄ）又はレンズの周りに記された矩形（又はデータボクシング）に依存するハードウェア要素に依存する；
−  プリズム効果を考慮することを可能にする、装用者の眼の屈折力などの光学データに依存する；
−  視線落とし、使用ゾーン、及び使用ゾーンのセントロイドなどの行動面（ｂｅｈａｖｉｏｒａｌ  ａｓｐｅｃｔｓ）に依存する。
【０１１４】
要素のリストは、なんら限定されるものではない。
【０１１５】
第２の実施形態の様々な変形例は、パラメータεの値を決定する様々な方法に対応する。
【０１１６】
図５は、正面から見た非玉形加工済累進レンズ８を示す。フィッティング高さが１４ｍｍ未満に制限されたフレーム１０も示す。ここでは、フィッティングクロスを、フレーム１０の周りに記された矩形の中心に配置する。ＦＶゾーン１１は単眼鏡の上部に配置されているが、単眼鏡のＮＶゾーン１２はフレームの外側に配置されていることに留意されたい。この場合は、方法の結果は、選択したフレーム、測定値、調整及び／又は設計の間の非適合性を知らせるための警告メッセージを発することを含む。
【０１１７】
図６〜７では、フレーム１０は、非限定的な例として、１４ｍｍ〜１７ｍｍに含まれるフィッティング高さＦＨを有する。
【０１１８】
図６は、差Δが正である、すなわち、装用者のＮＶの視線の平均落とし角度が、例えば、２０度よりも大きい事例を示す。
【０１１９】
第２の実施形態のこの変形例では、差Δが正であるとき、累進長（ＬＯＣ）の値は、タイプ：
ＬＯＣ＝ＦＨ
の式によって選択される。
換言すると、εの値は、ε＝０に固定される。
【０１２０】
ＮＶゾーン１２の中心は、フレーム１０の縁に配置される（図６を参照）。
【０１２１】
図７は、差Δが負である、すなわち、装用者のＮＶの視線の平均落とし角度が、２０度未満である事例を示す。第２の実施形態のこの変形例では、差Δが負であるとき、累進長（ＬＯＣ）の値は、タイプ：
ＬＯＣ＝ｍａｘ（ＦＨ−ｋ（ＦＨ）；１４ｍｍ）
０＜ｋ（ＦＨ）＜１．５ｍｍ
の式によって選択される。
【０１２２】
非限定的な例では、関数ｋ（ＦＨ）はアフィン関数であり、例えば、ｋ＝０．３５ｘ（ＦＨ）−５．２５となる。
【０１２３】
この第２の実施形態では、長距離の累進長が好ましい。
【０１２４】
図８〜９では、フレーム１０のフィッティング高さＦＨは、１７ｍｍ超である。
【０１２５】
差Δが正である事例では（図８）、予め決められた累進長値は、例えば、
ＬＯＣ＝１８ｍｍ
に選択される。
【０１２６】
差Δが負である事例では（図９）、予め決められた累進長値は、例えば、
ＬＯＣ＝１７ｍｍ
に選択される。
【０１２７】
図１０は、フレーム１０のフィッティング高さＦＨが２０ｍｍ超である事例を示す。この場合は、好ましくは１６〜１８ｍｍに含まれる長距離の累進長が好ましい。
【０１２８】
方法：ステップｃ）の累進長の決定の第３の実施形態（図１１）
図１１は、有効な平均落とし角度と、視線の平均落とし角度（一般に２０度）との間の差Δの値に応じて累進長が調整される、第３の実施形態を示す。
【０１２９】
一実施形態では、Δは、セントロイド（ＢＵ）の垂直方向位置と、装用者の遠方視の主視線方向（Ｄ０）に対する視線の平均落とし角度に対応する垂直方向基準位置（１７）との間の差であると定義される。
【０１３０】
この場合は、累進長の値は、以下のタイプの式に従って、フィッティング高さ（ＦＨ）、及びΔの値に応じて計算される：
ＬＯＣ＝ＦＨ−ε（ＦＨ，Δ）
式中、εは、補正関数又はパラメータを表し、これは、ＬＯＣの値に影響を及ぼす傾向のある１つ以上の要素から計算され、これら要素は、おそらく、以下の異なる性質のものである：
−  フレーム及び／又は使用者によるフレームの装用位置、例えばフィッティング高さＦＨ、基準高さ（Ｈｄ）又はレンズの周りに記された矩形（又はデータボクシング）に依存するハードウェア要素に依存する；
−  プリズム効果を考慮できるようにする、装用者の眼の屈折力などの光学データに依存する；
−  視線落とし、使用ゾーン及び使用ゾーンのセントロイドなどの行動面に依存する。
【０１３１】
この要素のリストは、なんら限定されるものではない。
【０１３２】
計算の観点から、原理は、Δに境界をおき、且つ最適な補正値を割り当てることである。
【０１３３】
【表１】
0006563918.tif 000002
【０１３４】
例えば、ＦＨ＝１４ｍｍに関して、差Δがどんな値であろうと、短縮は許容されない。対照的に、高さＦＨ＝２０ｍｍに関して、Δの値２ｍｍに対して最大３ｍｍの短縮、及びΔの値−３ｍｍに対して最小２ｍｍの短縮が許される。
【０１３５】
解法に組み込まれるこれらの値は、本出願人らが、タイプ：
ε＝Ｕ＋Ｖ*Δ＋Ｗ*ＦＨ＋Ｘ*Δ*ＦＨ
（式中、例えばＵ＝−６．０６６６７；Ｖ＝６０．４６６７；Ｗ＝０．４３３３３；及びＸ＝０．０３３３３である）
又は
ε＝Ｕ＋Ｖ*Δ＋Ｗ*ＦＨ＋Ｘ*Δ*ＦＨ＋Ｙ*Δ2＋Ｚ*ＦＨ2
（式中、例えばＵ＝５．６４２；Ｖ＝−０．４６６６７；Ｗ＝−０．９８４３３３；Ｘ＝０．０３３；Ｙ＝−０．００４６７；Ｚ＝０．０４１６６７である）
の伝達関数の計算によって、中間値を全て得ることができるようにする。
【０１３６】
伝達層は、空間（ＦＨ，Δ）と、累進長値：
ＬＯＣ＝ＦＨ−Ｕ＋Ｖ*Δ＋Ｗ*ＦＨ＋Ｘ*Δ  ＦＨ        （Ｖ１．１１）
ＬＯＣ＝ＦＨ−Ｕ＋Ｖ*Δ＋Ｗ*ＦＨ＋Ｘ*Δ*ＦＨ＋Ｙ*Δ2＋Ｚ*ＦＨ2        （Ｖ１．１２）
を得るためにＦＨに適用されるべき補正εとの間の伝達関数を表す。
【０１３７】
補正関数ε＝ｋ（ＦＨ，Δ）は、アフィン関数、又は累進長値の分布をより均一に分配するための、上述のような二次方程式タイプのより複雑な関数とし得る。指数関数又は対数関数ともし得る。
【０１３８】
さらに、パラメータ、例えば球面補正Ｒｘ、プリズムによる光のフレ、設計、及び／又は基準フィッティング高さＨｄに関連付けられた補償のタイプの他のパラメータを考慮することによって、補正関数を調整することが可能であることが好都合である。
【０１３９】
この調整は、ＬＯＣの値のレベルにおいて、又は補正関数又はパラメータεの式のレベルにおいて、実施され得る。
【０１４０】
方法：ステップｃ）の累進長の決定の第４の実施形態（図１２）
この第４の実施形態では、累進長は、有効な平均落とし角度と、視線の平均落とし角度（例えば２０度）との間の差Δに応じて、及び使用ゾーン（ＺＵ）の空間分散（Δβ、ＸＵ、ＹＵ）を表す値に応じて、調整される（図１２）。
【０１４１】
この分散は、使用ゾーンの垂直方向の広がりΔβ、使用ゾーンの垂直方向の広がりＹＵ、又は使用ゾーンの水平方向の広がりＸＵとし得る。
【０１４２】
例えば、垂直方向の広がりΔβは、統計的分布の垂直方向の標準偏差と等しい。
【０１４３】
一実施形態では、Δは、セントロイド（ＢＵ）の垂直方向位置と、装用者の遠方視の主視線方向（Ｄ０）に対する視線の平均落とし角度に対応する垂直方向基準位置（１７）との差であると定義される。
【０１４４】
この場合は、累進長の値は、以下のタイプの式に従って、フィッティング高さ（ＦＨ）、及びΔの値に応じて、計算される。
ＬＯＣ＝ＦＨ−ε（ＦＨ，Δ，ＺＵ）
【０１４５】
一変形実施形態では、伝達関数は、
ＬＯＣ＝ｆ（ＦＨ，Δ，Δβ）
となるように計算される。そこで、計算は、３次伝達関数で行われる（図１２）。
【０１４６】
使用ゾーンの広がりを考慮することによって、特に、装用者の眼球／頭部の係数（ｅｙｅ／ｈｅａｄ  ｃｏｅｆｆｉｃｉｅｎｔ）に応じて、及びより詳細には、装用者の眼球／頭部の行動に応じて、装用者が眼の動きではなく頭の動きを重視するか又はその逆の動きを重視するかに応じて、ＬＯＣを調整できるようにする。このように装用者の眼球／頭部の行動を考慮することによって、この装用者に対して最適な視覚的快適性を保証することを可能にする。
【０１４７】
球面補正Ｒｘ、円柱面補正、プリズムによる光のフレ、設計などのパラメータ、及び／又は基準フィッティング高さＨｄに関連付けられた補償のタイプのパラメータを考慮することによって、これらの関数を調整することがさらに可能であることが好都合である。
【０１４８】
この場合は、累進長の補正関数は以下の形式：
ＬＯＣ＝ＦＨ−ε（ＦＨ，Δ）−Ｆ（ＲＸ（））
（式中、ＲＸは装用者の眼の屈折力を表す）、
又はさらには、
ＬＯＣ＝ＦＨ−ε（ＦＨ，Δ，ＺＵ）−Ｃ（Ｂｏｘｉｎｇ／Ｄａｔｕｍ）
で表わされて、記された矩形の高さの測定値と基準高さの測定値との間の固有の差（又はＢｏｘｉｎｇ／Ｄａｔｕｍの係数）に起因する体系的な補償を実施する。
【０１４９】
当然ながら、補正関数は、例えば式：
ＬＯＣ＝ＦＨ−ε（ＦＨ，Δ，Ｕｓｅ）−Ｃ（Ｂｏｘｉｎｇ／Ｄａｔｕｍ）−Ｆ（ＲＸ）
における、様々なパラメータを組み合わせ得る。
【０１５０】
この調整は、ＬＯＣの値のレベルにおいて、又は補正関数又はパラメータεの式のレベルにおいて、実施され得る。
【０１５１】
これらの関数を、装用者の頭部の姿勢及び／又は装用者の体の姿勢に関連付けられたパラメータを考慮することによって、さらに調整することが可能であることが好都合である。
【０１５２】
方法：ステップｃ）の累進長の決定の第５の実施形態（図１３）
この第５の実施形態では、累進長は、使用ゾーンＺＵの高い境界線ＨＵと視線の平均落とし角度（２０度）との間の差Δを使用して調整される（図１３を参照）。
【０１５３】
それゆえ、垂直方向の広がりは、光学領域を位置決めすることを可能にするか又はその設計特性を規定することを可能にする、高い位置ＨＵを定義するのに役立ち得る。
【０１５４】
あるいは、個人設計、例えばＮＶゾーンの位置及びＮＶゾーンの範囲を計算するための視標（ｆｉｅｌｄ  ｔａｒｇｅｔ）を規定するために、Δの値を使用することが可能である。
【０１５５】
方法：ステップｃ）の第６の実施形態（図１４及び図１５）
この第６の実施形態では、統計的分布の結果を使用して、光学設計の少なくとも１つのパラメータを決定又は調整する。
【０１５６】
以下のものを組み合わせて又は個別に使用することも可能である：
−  使用ゾーンのセントロイドＢＵの位置；
−  使用ゾーンの上限ＨＵ；
−  使用ゾーンの下限ＬＵ；
−  使用ゾーンの鼻側限界ＮＵ；
−  使用ゾーンの側頭限界ＴＵ；
−  使用ゾーンの垂直方向の広がりＹＵ；
−  使用ゾーンの水平方向の広がりＸＵ。
【０１５７】
例えば、使用ゾーンのセントロイドＢＵのｘ及び／又はｙにおける位置を使用して、累進レンズの点ＩＶＰのｘ及び／又はｙにおける位置を決定する。
【０１５８】
別の例では、上限ＨＵは、設計の累進プロファイルを修正することによって、累進プロファイルを、ＮＶゾーンの始まりに対応する８５％の球面屈折力加入度数に調整して、装用者の視覚戦略に一致するＮＶゾーン１２を与えるようにするために、使用される（図１５Ａ及び図１５Ｂ参照）。図１５Ｃは、経線−それぞれ、点線は、図１５Ａに示すような使用ゾーンを有する第１の装用者のためのものであり、及び破線は、図１５Ｂに示すような使用ゾーンを有する別の装用者のためのものである−に沿った２つの屈折力加入度数プロファイルを示す。ＦＶゾーンとＮＶゾーンとの間の総加入度数は、例えばこれら二人の装用者に関して、２ジオプトリに等しい。累進プロファイルは個人的に調整されるため、使用ゾーンの上限ＨＵは、８５％の球面屈折力加入度数に対応する、すなわち１．７０ジオプトリに等しい。さらに、累進長を調整して、セントロイドＢＵが１００％の加入度に対応する、すなわちＮＶゾーンの一部を形成するようにする。
【０１５９】
別の例では、垂直方向の広がりＹＵは、ＮＶを引き上げるために設計上の累進長を調整できるようにする。累進長のこの補正は、垂直方向の広がりＹＵのサイズが大きくなるにつれて、大きくなり、簡単にアクセス可能であり且つ装用者の視覚戦略に好適である大きなＮＶゾーンを提供する。
【０１６０】
別の例では、使用ゾーンＺＵのセントロイドＢＵの位置及び垂直方向の広がりＹＵは、近方視ゾーン１２の高さを決定できるようにする。
【０１６１】
別の例では、鼻側限界ＮＵ及び／又は側頭限界ＴＵは、オフセットＥの値を決定できるようにする。
【０１６２】
セントロイドＢＵの位置Ｙを、内部オフセットＥの調整の変数として使用することも可能である。
【０１６３】
別の例では、水平方向の広がりＸＵは、局部調整層を使用して累進長を短縮することによって、及び／又は光学設計の最適化の最中に屈折力及び乱視の目標を直接修正することによって、ＮＶゾーンにおける設計上の視野幅（ｆｉｅｌｄ  ｗｉｄｔｈ）を調整できるようにする。
【０１６４】
それゆえ、水平方向の広がりＸＵは、複数の予め規定された設計から又は連続体において、比較的緩やか且つ狭い、又は対照的に厳しく且つ幅広の設計を選択できるようにする。
【０１６５】
累進レンズの累進設計の調整は、眼球／頭部の係数の測定値及び／又は装用者の自然な姿勢に関連するデータを考慮して、装用者の最適な視覚的快適性を保証することが好都合である。
【０１６６】
それゆえ、使用ゾーンは、入力パラメータとして使用されて、補正関数を補足し得る。
【０１６７】
元のパラメータ、例えばフレーム及びその装用位置を考慮したフィッティング高さＦＨ、及び対象の快適な位置を考慮した差Δに加えて、ＺＵタイプの変数の追加は、視作業の最中に空間を調査する対象の性質を考慮する。この実施形態は、もっと正確に言えば、累進長（ＬＯＣ）だけでなく、水平方向における視野幅も決定することを可能にする。
【０１６８】
方法：第７の実施形態（図１６）
この実施形態では、統計的な基準集団を形成する複数の装用者に関する視覚行動の測定点の値の１組の統計的分布を収集する。この基準集団は、屈折異常、年齢、装用者のタイプ又は民族性に応じてセグメント化され得る。
【０１６９】
それゆえ、使用領域（ＺＵ）に関する複数の平均値（装用者の平均的な視線方向又は投影面（ＰＭ）における装用者の平均的な視線位置又は装用者の視線を落とした平均角度）が提供され、前記値は、複数の装用者に関連付けられている。
【０１７０】
次いで、前記複数の基準装用者に関連付けられた前記複数の平均値は、前記複数の平均値の統計的分布を決定するために処理される。
【０１７１】
例えば、図１６は、点Ｂ１、Ｂ２、Ｂ３、Ｂ４を示し、これら点は、それぞれ、例えば、ステップａ）及びｂ）において説明されるような様々な装用者の視覚行動の測定に関する使用領域のセントロイドに、それぞれ対応する。
【０１７２】
基準集団に関し、例えば最大高さ及び最小高さを計算できるようにする統計処理が実施される。
【０１７３】
続くステップでは、使用領域（ＺＵ）に関する平均値が、視作業の最中の装用者に対して決定される。
【０１７４】
例では、点Ｂｉは、累進レンズの個人専用化を求める装用者の使用ゾーンのセントロイドの位置に対応する。
【０１７５】
次いで、少なくとも１つの光学設計パラメータが、前記装用者の使用領域に関する前記平均値と、前記複数の基準装用者の平均値の前記統計的分布とに依存して、前記装用者用の眼科用累進レンズのために決定される。
【０１７６】
例では、点Ｂｉの位置と推奨されたＬＯＣ値との間の伝達法則が決定される。
【０１７７】
例として、伝達法則は、タイプ：
ＬＯＣ＝Ｋβ＋Ｃ
（式中、
【数１】
0006563918.tif 000003
である）
の式に従う線形則である。
【０１７８】
この実施形態は、信頼性を欠く様々な測定条件に起因する偏り誤差を減少させることを可能にする。
【０１７９】
基準集団に関するデータは、新しく取られた測定値に応じて更新されることが好都合である。
【０１８０】
例えば、商標「Ｖｉｓｉｏｆｆｉｃｅ  ｌｉｎｋ」で販売されているタイプの機器は、基準集団に関するデータのオンライン更新を可能にし得る。
【０１８１】
本発明の光学設計パラメータを決定する方法のおかげで、所与の装用者に対し、最も好適な眼科用累進レンズを決定することが可能である。
【０１８２】
第１の実施形態では、このレンズは、標準セットのレンズから決定された光学設計パラメータに応じて選択されて、この光学設計パラメータに可能な限り良好に適合するようにする。
【０１８３】
第２の実施形態では、レンズの光学設計パラメータを決定する方法は、公知の処方の装用者を対象とした眼科用累進レンズを最適にするための最適化処理に関連して実施され得る。ここで、表現「最適化処理」は、眼科用累進レンズの光学的構想設計を最初から計算するためのプロセス、又は問題のパラメータに応じた既存の光学設計の修正方法のいずれかを意味すると理解される。この修正は、最適化計算における目標ゾーンの修正によって、単眼鏡に補正層を直接追加することによって、累進長（ＬＰ）を伸ばすことによって、又は様々な眼科用累進レンズ設計から設計を選択することによって、得られ得る。最適化は、装用者の行動測定値に応じて、好適な眼科用累進レンズに可能な限り近くすることを可能にする。
【０１８４】
この最適化方法は、レンズの前面及び後面の初期の式を決定する第１のステップを含み得る。これらの決定は、眼科用レンズの製造者によって又は測定によってもたらされたデータを読み取ることにより、実施され得る。
【０１８５】
次いで、少なくとも１つの現用の眼科用レンズの面を選択する。この少なくとも１つの現用の面は、対応するレンズの少なくとも１つの初期の面と同一であるように選択され得る。しかしながら、当業者は、この少なくとも１つの現用の面はまた、対応するレンズの少なくとも１つの初期の面とは異なるように選択されてもよいことが分かっている。現用の面は、装用者の方に向けられた眼科用レンズの後面に、及び／又は装用者とは反対側の眼科用レンズの前面に対応する。
【０１８６】
次いで、目標光学関数及び目標光学設計パラメータが、本発明の方法に従って決定され、最適化によって、装用条件下で、決定した光学的目標を使用してレンズの現用の面を決定するようにする。
【０１８７】
これらの目標は、屈折力の値、乱視の値（ｍｏｄｕｌｕｓ  ｏｆ  ａｓｔｉｇｍａｔｉｓｍ）及び所与の視線方向に対する乱視軸を提供する。
【０１８８】
例として、最適化のための目標として、経線に沿った屈折力の変動の目標、及び特に本発明の方法に従って決定される経線に沿った累進長の値を決定することが可能である。
【０１８９】
それゆえ、そのように得られた本発明によるレンズは、装用者のニーズを可能な限り満たし、且つ装用者に、より良好な視覚的快適性をもたらす。
【０１９０】
眼鏡屋が使用できる一対の眼科用のレンズの注文書に、本発明による処理によって決定されたいくつかの光学設計パラメータを書き込むことが想定され得ることが好都合である。光学設計パラメータは、近方視及び遠方視の処方屈折力、処方加入度、装用者の瞳孔距離、フレームの装用時前傾角、単眼鏡−眼の距離に関するデータ、及び装用者によって選択されたフレームに関するデータに関連付けられる。
【０１９１】
注文書のいずれの空欄に対しても、既存の計算プログラムで使用される標準的な平均値が採用される。
【０１９２】
１対のレンズの計算を行い、且つ加工工具を制御する製造指図書を編集するための光学的最適化計算コンピュータプログラムを、注文書の各コピーに、書き込む。
【０１９３】
さらに、この最適化方法は、眼科用レンズの製造プロセスにおいて実施され得る。
【０１９４】
眼科用レンズの製造プロセスは、初期段階の眼科用レンズ、任意選択的に半製品レンズを提供する第１のステップを含む。
【０１９５】
最適化方法によって、眼科用レンズのために最適化した面を決定するステップの後には、レンズを機械加工して少なくとも１つの最適化した面を生産するステップが続く。
【０１９６】
上述の通り、状況に依存してレンズの片面又は両面を最適にすることが可能である。同様に、初期段階に提供された眼科用レンズの片面又は両面を機械加工することによって、製造プロセスが実施され得る。１つ又は複数の最適化した面を生産するためのレンズの機械加工は、特に、眼科用累進レンズの単一面又は両面の機械加工に好適な、デジタル式に制御された機械工具でのデジタル表面仕上げ方法と呼ばれるものを使用して、実施され得る。
【図１】
0006563918.tif 000004
【図２】
0006563918.tif 000005
【図３】
0006563918.tif 000006
【図４Ａ】
0006563918.tif 000007
【図４Ｂ】
0006563918.tif 000008
【図５】
0006563918.tif 000009
【図６】
0006563918.tif 000010
【図７】
0006563918.tif 000011
【図８】
0006563918.tif 000012
【図９】
0006563918.tif 000013
【図１０】
0006563918.tif 000014
【図１１】
0006563918.tif 000015
【図１２】
0006563918.tif 000016
【図１３】
0006563918.tif 000017
【図１４】
0006563918.tif 000018
【図１５Ａ−１５Ｃ】
0006563918.tif 000019
【図１６】
0006563918.tif 000020